(57)【要約】【課題】粒子径が細かい泡を作りだすことができるとともに、泡を作り出す作業を片手でも簡単に行うことができる新規な洗浄剤用泡だて器を提供する。【解決手段】容器本体と蓋体と昇降操作棒と昇降板と、を備え、上記容器本体には、該容器本体が載置されるバスルームの床面又は洗面化粧台の底板部の上面等の載置面又は上記バスルーム又は浴槽等の壁面に吸着される吸着部材が、該容器本体の底板部又は側板部に配置され又は該容器本体に着脱自在に取り付けられてなる。【選択図】  図１
2017159006.tif 000002
【特許請求の範囲】
【請求項１】
底板部と側板部とを有し、上部には開口が形成され内部に洗浄剤と湯水とが収容される収容空間が形成された容器本体と、
この容器本体の上部に着脱自在に取り付けられ上記開口を閉塞するとともに中央又はその近傍には挿通穴が形成された蓋体と、
上端には昇降操作部が形成され、中途部は上記蓋体に形成された挿通穴に挿通されてなる昇降操作棒と、
この昇降操作棒の下端に固定されてなるとともに、上記昇降操作棒の昇降操作により上記容器本体内において上記洗浄剤及び泡が通過する多数の貫通穴が形成された昇降板と、を備えてなるとともに、
上記容器本体には、該容器本体が載置されるバスルームの床面又は洗面化粧台の上面等の載置面又は上記バスルーム又は浴槽等の壁面に吸着される吸着部材が、該容器本体の底板部又は側板部に配置され又は該容器本体に着脱自在に取り付けられてなることを特徴とする洗浄剤用泡だて器。
【請求項２】
前記昇降操作棒は、棒状に成形された棒状部を含み、前記昇降操作部は、上記棒状部の側面に形成され使用者の持つ特定の指が掛止される第１の掛止部と、上記棒状部の側面に形成され該使用者の他の指が掛止される第２の掛止部とを備えてなるとともに、上記第１の掛止部と第２の掛止部とは、それぞれ使用者が昇降操作棒を上昇させる際に上記特定の指又は他の指が掛止される部位であることを特徴とするもの請求項１記載の洗浄剤用泡だて器。
【発明の詳細な説明】
【技術分野】
【０００１】
本発明は、例えば液体石鹸や固形石鹸等の石鹸類や洗顔料等の洗浄剤を用いて泡を作りだす際に使用される洗浄剤用泡だて器に関するものである。
【背景技術】
【０００２】
これまで上記石鹸等の洗浄剤は、手指や顔等の身体を洗浄するために使用されているが、特に洗顔の際においては、手指で顔の皮膚（肌）を擦ることにより、肌に炎症を起こし、この炎症により肌のキメが乱れたり荒れたりし、こうした症状により保水力を失って乾燥し、毛穴の黒ずみを招く等のトラブルを生ずる場合があることが指摘されている。したがって、近年では、洗浄剤を用いて肌を洗浄する際には、その洗浄剤から作った泡を用いる場合が多い。特に、粒子径が細かい泡を洗顔の際に使用することにより、泡の単位体積当たりの表面積が増大し、皮膚の表面に存在する汚れを有効に除去することができる効果がある。
【０００３】
そこで、こうした洗浄剤から泡を作りだす方法ないし器具等は、これまで種々のものが使用され又は提案されている。この方法は、例えば、固形石鹸又は液体石鹸を両手で擦りながら泡を作る方法以外に、繊維等から所定のメッシュが形成されたネットを用いる方法が主流とされている。また、上下に分割可能な容器内に球状の物体が封入されたものであり、この容器内に石鹸と少量の湯水を入れて繰り返し振ることにより該容器内において泡を立てる泡だて器（特許文献１参照）や、左右に分割可能な容器内に網状体を配置したものであり、この容器内に上記石鹸と少量の湯水を入れて繰り返し振ることにより該容器内において泡を立てる泡だて器（特許文献２参照）が提案されている。
【先行技術文献】
【特許文献】
【０００４】
【特許文献１】特許第３６９２３６１号公報
【特許文献２】特許第４５９６５３６号公報
【発明の概要】
【発明が解決しようとする課題】
【０００５】
しかしながら、上述したように、使用者が両手で泡を作りだす方法では、人によっては中々困難である場合が多い。また、粒子径の細かい泡を作ることは困難であるばかりではなく、必ず両手を用いる必要がある。また、上記ネットを使用する場合では、粒子径の細かい泡を作りだすにはやや時間がかかるとともに、使用後において水を含んだ状態が継続することから黴等の細菌が繁殖する温床になる場合が多く、バスルームや洗面台等を汚損する危険性もある。また、上記特許文献１及び２に係る泡だて器は、何れも容器内部で泡を立てるものであることから、泡を取り出して洗顔等する場合にはその都度容器を開放操作する必要が有り、こうした解放操作は必ず両手を用いて行わなければならず、極めて使い勝手が悪い。換言すれば、これまで使用され提案されている方法や泡だて器では、粒子の細かい泡を作り出すことが困難である等の課題以外に、洗浄剤から泡を作り出す作業は何れも両手を使用して行わなければならず、特に、母親等が片手で乳呑児等を抱えた状態では、上記作業は不能である場合が多い。
【０００６】
そこで、本発明は、上述した従来の洗浄剤の泡立て方法や泡だて器が有する課題を解決するために提案されたものであって、粒子径が細かい泡を作りだすことができるとともに、泡を作り出す作業を片手でも簡単に行うことができる新規な洗浄剤用泡だて器を提供することを目的とするものである。
【課題を解決するための手段】
【０００７】
本発明は、上記課題を解決するために提案されたものであって、第１の発明（請求項１記載の発明）は、底板部と側板部とを有し、上部には開口が形成され内部に洗浄剤と湯水とが収容される収容空間が形成された容器本体と、この容器本体の上部に着脱自在に取り付けられ上記開口を閉塞するとともに中央又はその近傍には挿通穴が形成された蓋体と、上端には昇降操作部が形成され、中途部は上記蓋体に形成された挿通穴に挿通されてなる昇降操作棒と、この昇降操作棒の下端に固定されてなるとともに、上記昇降操作棒の昇降操作により上記容器本体内において上記洗浄剤及び泡が通過する多数の貫通穴が形成された昇降板と、を備えてなるとともに、上記容器本体には、該容器本体が載置されるバスルームの床面又は洗面化粧台の底板部の上面等の載置面又は上記バスルーム又は浴槽等の壁面に吸着される吸着部材が、該容器本体の底板部又は側板部に配置され又は該容器本体に着脱自在に取り付けられてなることを特徴とするものである。
【０００８】
上記第１の発明に係る洗浄剤用泡だて器では、上記容器本体内に適当量の（液体石鹸等の）洗浄剤と少量の湯水とを収容し、上記蓋体を容器本体の上部に固定するとともに、上記昇降操作棒の上端に形成された昇降操作部を把持する等しながら、該昇降操作棒を昇降操作する（上下動操作）と、こうした昇降操作に伴って上記昇降板が昇降する。すると、こうした昇降板の昇降動作により、上記容器本体内に収容された洗浄剤と湯水とは混合されるだけではなく、該洗浄剤と湯水とは、この昇降板に形成された多数の貫通穴を通過して該昇降板の上方及び下方に繰り返し移動する。こうした洗浄剤と湯水との混合物の移動が繰り返されることにより、上記容器本体内には多数の泡が作り出される。
【０００９】
特に、この第１の発明に係る洗浄剤用泡だて器では、上記吸着部材を備えてなることから、予め該吸着部材を介して容器本体をバスルームの床面又は洗面化粧台の底板部の上面等の載置面に吸着（固定）させ、或いは、上記バスルーム又は浴槽等の壁面に容器本体を吸着（固定）させておくことにより、上記蓋体を容器本体から取り外す操作、この操作により解放された開口から上記容器本体内に洗浄剤や湯水を収容させる操作、上記蓋体を容器本体に取り付ける操作、上記昇降操作部を把持しながら昇降板を昇降操作させる操作、上記蓋体を容器本体から再び取り外す操作、上記容器本体内から泡を取り出す操作という一連の操作は、それぞれ全て片手で行うことができる。説明するまでもなく、上記容器本体は、上記床面、載置面又は壁面に対して吸着部材を介して固定されるものであるから、使用者は、該吸着部材による吸着状態を解除することにより、この洗浄剤用泡だて器を任意の位置や場所に移動させることができる。
【００１０】
なお、この発明に係る洗浄剤用泡だて器を構成する容器本体は、少なくとも、その形状は、上方に開口が形成され内部に洗浄剤と湯水とを収容する収容空間が形成されたものであれば良く、例えば、平面視における外形形状が円形状又は楕円形状であってもよいばかりか、正方形状や長方形状等の方形状であってもよい。また、上記蓋体は、容器本体の上部に着脱自在に取り付けられ上記開口を閉塞するとともに中央又はその近傍には挿通穴が形成されたものであればよい。なお、上記容器本体と上記蓋体との形状や、相互の取付構造は、上記容器本体の平面視における外形形状が円形状である場合には、平面視における蓋体の外形形状も円形状とし、互いの取付構造は、例えば、容器本体を構成する側板の上端側外周面に一方のネジを形成し、蓋体の内周面に上記一方のネジに螺着される他方のネジを形成したものであってもよい。また、容器本体と蓋体との平面視における外形形状が（上記方形状又は楕円形状のように）円形状以外の形状とし、該蓋体に天板と該天板部から垂下する側板とを設け、容器本体を構成する側板の上端側外周に蓋体に形成された側板の内側面が密着する程度のクリアランスをもって該容器本体に蓋体を取り付けられる構造としたものであってもよい。なお、上記昇降板に形成された多数の貫通穴は、少なくとも、洗浄剤及び泡が通過するものであれば良く、該貫通穴の内径は、使用する洗浄剤の粘性率や、使用する洗浄剤の量に対して加える湯水の量により適宜設定すればよいが、凡そ０．５〜５ｍｍとすればよく、より好ましくは２〜４ｍｍ程度とすればよい。
【００１１】
また、この第１の発明を構成する吸着部材は、上述した通り、該容器本体が載置されるバスルームの床面又は洗面化粧台の底板部の上面等の載置面又は上記バスルーム又は浴槽等の壁面に吸着されるものであればよい。また、この吸着部材の配置位置は、容器本体の底板部であってもよいし、側板部であってもよい。上記配置位置が、容器本体の底板部である場合には、バスルームの床面又は洗面化粧台の底板部の上面等の載置面に容器本体を固定することができ、該配置位置が、容器本体の側板部である場合には、バスルーム又は浴槽等の壁面に固定することができる。またさらに、この第１の発明に係る洗浄剤用泡だて器では、上記吸着部材は、上記容器本体に配置されてなるものばかりではなく、容器本体に着脱自在に取り付けられてなるものであってもよい。すなわち、上記吸着部材は、樹脂を素材として、上記容器本体を構成する底板部又は側板部と一体成型されてなるものであってもよいし、容器本体とは別体として成形し、その後に容器本体に接着剤を使用して固定されているものであってもよく、また、容器本体に対して溶着されているものであってもよい。また、上記吸着部材が容器本体に着脱自在とされているものとしては、例えば、吸着部材に上記載置面などに吸着する吸着部を設けるとともに、この吸着部の形成位置とは反対側に、上記底板部又は側板部に対して嵌合する嵌合部を設け、この嵌合部を介して該底板部又は側板部に着脱自在に取り付けられるものであってもよいし、上記吸着部とは反対側に、上記底板部又は側板部に吸着される第２の吸着部を設け、底板部又は側板部に対するこの第２の吸着部の吸着状態を解除することにより、吸着部材を容器本体から取り外すことができるように構成されたものであってもよい。また、上記吸着部材には、少なくとも１つの吸着部を備えていればよい。
【００１２】
また、第２の発明（請求項２記載の発明）は、上記第１の発明において、前記昇降操作棒は、棒状に成形された棒状部を含み、前記昇降操作部は、上記棒状部の側面に形成され使用者の持つ特定の指が掛止される第１の掛止部と、上記棒状部の側面に形成され該使用者の他の指が掛止される第２の掛止部とを備えてなるとともに、上記第１の掛止部と第２の掛止部とは、それぞれ使用者が昇降操作棒を上昇させる際に上記特定の指又は他の指が掛止される部位であることを特徴とするものである。
【００１３】
この第２の発明に係る洗浄剤用泡だて器では、上記第１の掛止と第２の掛止部とが棒状部の側面に形成されているばかりではなく、これら第１及び第２の掛止部は、それぞれ使用者が昇降操作棒を上昇させる際に上記特定の指又は他の指が掛止される部位であることから、使用者が昇降操作棒を上昇操作する際、手指に付着した洗浄剤により滑ることなく、容易に上昇操作することが可能となる。
【発明の効果】
【００１４】
上記第１の発明（請求項１記載の発明）に係る洗浄剤用泡だて器によれば、昇降操作棒を昇降操作することにより、簡単に泡を作ることができ、黴等の細菌が繁殖する危険性も回避することができる。特に、この第１の発明に係る洗浄剤用泡だて器では、上記容器本体の上端側中途部に蓋体が載置され又は係止されており、上記昇降操作棒を下降させることにより昇降板に形成された多数の貫通穴を湯水と混合された洗浄剤が通過することにより作りだされ昇降板の上方に位置した泡は、次いで、上記昇降板が上昇操作されることにより、該蓋体と昇降板とにより泡が圧縮され、この泡は再び上記多数の貫通穴を通過して昇降板の下方に移動する。したがって、こうした昇降板の昇降操作により洗浄剤ばかりではなく、一旦作りだされた泡も繰り返し多数の貫通穴を通過することから、より細かい粒子径の泡を作りだすことができる。
【００１５】
また、この第１の発明に係る洗浄剤用泡だて器では、上記吸着部材を備えてなることから、予め該吸着部材により容器本体を、バスルームの床面又は洗面化粧台の底板部の上面等の載置面に吸着（固定）させ、或いは、上記バスルーム又は浴槽等の壁面に容器本体を吸着（固定）させておくことにより、上記蓋体を容器本体から取り外す操作、この操作により解放された開口から上記容器本体内に洗浄剤や湯水を収容させる操作、上記蓋体を容器本体に取り付ける操作、上記昇降操作部を把持しながら昇降板を昇降操作させる操作、上記蓋体を容器本体から再び取り外す操作、上記容器本体内から泡を取り出す操作という一連の操作は、それぞれ全て片手で行うことができる。説明するまでもなく、上記容器本体は、上記載置面又は壁面に対して吸着部材を介して固定されるものであるから、使用者は、該吸着部材による吸着状態を解除することにより、この洗浄剤用泡だて器を任意の位置や場所に移動させることができる。
【００１６】
また、第２の発明（請求項２記載の発明）に係る洗浄剤用泡だて器では、上記第１の掛止と第２の掛止部とが棒状部の側面に形成されているばかりではなく、これら第１及び第２の掛止部は、それぞれ使用者が昇降操作棒を上昇させる際に上記特定の指又は他の指が掛止される部位であることから、使用者が昇降操作棒を上昇操作する際、手指に付着した洗浄剤により滑ることなく、容易に上昇操作することが可能となる。
【図面の簡単な説明】
【００１７】
【図１】本発明の実施の形態に係る洗浄剤用泡だて器を示す外観斜視図である。
【図２】図１に示す洗浄剤用泡だて器を示す断面図である。
【図３】図１に示す洗浄剤用泡だて器の蓋体と昇降板と昇降操作棒を分解して示す分解斜視図である。
【図４】昇降板の端面図である。
【図５】吸着部材を示す外観斜視図である。
【図６】図５に示す吸着部材の底面図である。
【図７】図５に示す吸着部材の平面図である。
【図８】洗浄剤用泡だて器が載置面に吸着固定され内部に気泡が作りだされた状態を示す断面図である。
【図９】第２の実施の形態に係る容器本体と吸着部材とを示す断面図である。
【図１０】第３の実施の形態に係る容器本体と吸着部材とを示す断面図である。
【図１１】第４の実施の形態に係る容器本体と吸着部材とを示す断面図である。
【図１２】第５の実施の形態に係る容器本体と吸着部材とを示す断面図である。
【図１３】第６の実施の形態に係る容器本体と吸着部材とを示す断面図である。
【発明を実施するための形態】
【００１８】
以下、本発明を実施するための最良の形態に係る洗浄剤用泡だて器について、図面を参照しながら詳細に説明する。
【００１９】
この発明の実施の形態に係る洗浄剤用泡だて器１は、図１に示すように、容器本体２と、蓋体３と、昇降操作棒４と、図２に示す昇降板５及び吸着部材６と、から構成されている。
【００２０】
上記容器本体２、蓋体３、昇降操作棒４、昇降板５は何れもポリプロピレン等の樹脂により一体成形されてなるものであり、上記容器本体２は、図２に示すように、円盤状に成形された底板部２ａと、この底板部２ａの周端から上方に起立してなり円筒状に成形された側板部２ｂと、を備えている。すなわち、この容器本体２は上方に開口（符号は省略する。）が形成され、内部には、後述する液体石鹸等の洗浄剤と湯水が収容される収容空間（符号は省略する。）が形成されている。そして、上記容器本体２を構成する側板部２ｂの上端側外周には、一方のネジ２ｃが形成されている。なお、上記容器本体２の底板部２ａの下面には、後述する吸着部材６が吸着される円盤状の薄肉部２ｄが形成されている。
【００２１】
また、上記蓋体３は、図１又は図２に示すように、円盤状に成形された円盤部３ａと、この円盤部３ａの外周から垂下してなる円筒部３ｂと、この円筒部３ｂの内周に形成され上記一方のネジ２ｃに螺着される他方のネジ３ｃと、を備えている。また、この蓋体３の中央には、円形状の挿通穴３ｄが形成されている。
【００２２】
また、上記昇降板５は、図２に示すように、上記蓋体３及び上記底板部２ａの外径寸法よりも僅かに小径に成形されているとともに、中央には円筒部５ａが形成され、この円筒部５ａの内周には、図４に示すように、仮止め用の一方のネジ５ｂが形成されている。また、この昇降板５には、図３及び図４に示すように、液体石鹸等の洗浄剤等が通過する多数の貫通穴５ｃ分散した状態で形成されている。そして、これらの貫通穴５ｃが形成された昇降板５の下面には、図４に示すように、該貫通穴５ｃを囲むリング状の削ぎ取り部５ｄが該昇降板５の下方に垂下している。これらの削ぎ取り部５ｄは、図示しない固形石鹸の表面と上記昇降板５の下面とを摺接させることにより、固形石鹸を削ぎ取る機能を果たすものであり、上記要領で削ぎ取られた固形石鹸は、上記各貫通穴５ｃ内やその周辺に付着する。
【００２３】
また、上記昇降操作棒４は、図２又は図３に示すように、棒状に成形された棒状部４ａと、この棒状部４ａの上端に形成されたリング部４ｂと、上記リング部４ｂの下方であって上記棒状部４ａの上端側中途部に形成された第１の掛止部４ｃ及び上記第２の掛止部４ｄとを備えている。上記リング部４ｂは、使用者の中指等が挿通され又は人差し指と親指とにより把持される部位である。また、上記第１の掛止部４ｃと第２の掛止部４ｄとは、それぞれ上記棒状部４ａを間に挟んで該棒状部４ａの外周に形成されており、何れも下方が解放され円弧状に成形されている。また、上記第１の掛止部４ｃは、使用者の特定の指（例えば、人差し指）が掛止される部位であり、上記第２の掛止部４ｄは、使用者の他の指（例えば、薬指）が掛止される部位であり、それぞれ使用者が昇降操作棒４を上昇させる際に上記使用者の指が掛止される部位である。なお、上記昇降操作棒４の上端（上記リング部４ａの上端）は、第１の掛止部４ｃと第２の掛止部４ｄとのそれぞれに指を掛けた際には掌に当接する部位であり、該掌を下降させることにより、昇降操作棒４を下降操作することができる。なお、この昇降操作棒４の下端には、上記昇降板５の中央に形成された円筒部５ａ内に挿入される小径部４ｅが形成されてなるとともに、該小径部４ｅの外周には、上記一方のネジ５ｂに螺着される他方のネジ４ｆが形成されている。なお、この昇降操作棒４の下端と上記昇降板５とは、該昇降操作棒４が、上記蓋体３に形成された挿通穴３ｄに挿通され、上記一方のネジ５ｂに他方のネジ４ｆを螺着して仮止めした後に溶着されている。
【００２４】
また、この実施の形態に係る洗浄剤用泡だて器１において、上記吸着部材６は、上記容器本体２が載置されるバスルームの床面又は洗面化粧台の底板部の上面等の載置面に、該容器本体２を吸着固定するものであって、ゴム又はＰＶＣ（塩化ビニール）、ＴＰＯ（オレフィン系エラストマー）、ＳＢＣ（スチレン系エラストマー）、ＥＶＡ（酢酸ビニル）等の軟質樹脂により一体成形されてなるものであり、図２又は図５に示すように、板状に成形された板状部６ａと、この板状部６ａの下面に複数形成された第１の吸着部（群）６ｂと、上記板状部６ａの上面に複数形成された第２の吸着部（群）６ｃとから構成されている。上記板状部６ａは、円盤状に成形されてなるものであって、その外径寸法は、上記容器本体２を構成する底板部２ａの外径寸法とほぼ同じ寸法（容器本体２の底板部２ａの面積のほぼ１００％を示す面積）とされている。また、上記第１の吸着部（群）６ｂは、該吸着部材６を上記載置面に吸着固定するものであって、該第１の吸着部（群）６ｂのそれぞれの下面には半球状の凹面６ｅを有しているとともに、図６に示すようにこれら複数の凹面６ｅ全体の総面積は、上記板状部６ａの面積の８０％以上を占めている。また、上記第２の吸着部（群）６ｃは、該吸着部材６を上記底板部２ｃの下面に吸着固定するものであって、上記板状部６ａの下面に複数分散された状態で形成されている。また、第２の吸着部（群）６ｃのそれぞれの上面には半球状の凹面６ｆを有しているとともに、図７に示すようにこれら複数の凹面６ｆ全体の総面積は、上記板状部６ａの面積の５１％を占めている。そして、さらに上記第１の吸着部６ｂのそれぞれの中心位置は、図２に示すように、上記第２の吸着部６ｃのそれぞれの中心位置の下方とされている。換言すれば、第１の吸着部６ｂのそれぞれの中心と第２の吸着部６ｃの中心とは互いに上下方向に長さを有する直線状の二点で結ばれた位置に存在している。
【００２５】
次に、このように構成された洗浄剤用泡だて器１を使用することにより泡を作る方法について順次説明する。なお、上記洗浄剤用泡だて器１の使用方法、とりわけ上記容器本体２を、上記吸着部材６を介して載置面に吸着固定する順序は、いくつかの方法があるが、以下では、特にバスルーム内において使用者が片手を使用してこの洗浄剤用泡だて器１を使用することにより泡を作る方法につい説明する。
【００２６】
先ず、上記吸着部材６を把持して、使用者が容器本体２を固定したい位置に載置しておき、次いで、上記容器本体２内に適当量の湯水を充填し、次いで、適量の洗浄剤（符号は省略する。）を充填する。この洗浄剤としては液体石鹸が良好であり、この洗浄剤と湯水とを合わせた全体の充填量は、上記容器本体２の容量の約半分程度とする。或いは、バスルーム内に設置された棚又は石鹸ケース内に収容された図示しない固形石鹸の表面に上記昇降板５の下面に形成された削ぎ取り部５ｄを、該固形石鹸の表面に摺接させることにより、これらの削ぎ取り部５ｄや各貫通穴５ｃ内に付着させてもよい。そして、こうした湯水の充填作業と洗浄剤の充填作業（又は固形石鹸の付着作業）が終了すると、次いで、上記容器本体２を上記吸着部材６の（第２の吸着部（群）６ｃ）上に載置するとともに、該容器本体２上に上記蓋体３を載置した状態で、該蓋体３を下方に押圧する。こうした蓋体３の下方への押圧操作により、容器本体２は下方に押圧されるとともに、上記第１の吸着部（群）６ｂは弾性変形し上記それぞれの凹面６ｅ内の空気は外部に排出されるとともに、上記第２の吸着部（群）６ｃも応力に基づいて上記第２の吸着部（群）６ｃは弾性変形し上記それぞれの凹面６ｆ内の空気は外部に排出される。そして、使用者による押圧操作をやめることにより、上記容器本体２は、吸着部材６を間に介して上記載置面に吸着固定される。
【００２７】
こうした操作により、容器本体２が固定されると、次いで上記蓋体３を回転操作することにより、上記側板部２ｂに形成された一方のネジ２ｃに該蓋体３に形成された他方のネジ３ｃを螺着させ、こうした操作により容器本体２に蓋体３を固定する。こうした蓋体３の固定操作が終了すると、次いで、上記昇降操作棒４の上端側に形成された昇降操作部としてのリング部４ｂ、第１の掛止部４ｃ、第２の掛止部４ｄに指を掛けるなどして、該昇降操作棒４を昇降操作する。こうした昇降操作棒４の昇降操作により、上記容器本体２内に位置する昇降板５は、図８に示すように、該容器本体２内において昇降し、こうした昇降操作を繰り返すことにより、容器本体２内では、細かい粒子径の泡Ｆが作られる。
【００２８】
なお、こうした細かい泡Ｆが作られる過程・工程を詳述すると、最も下方に位置する昇降板５を、上記昇降操作棒４を上昇させることにより、洗浄剤と湯水との混合物Ｄは、上記多数の貫通穴５ｃや昇降板５の外周面と容器本体２の側板部２ｂの内周面との隙間とを通過して該昇降板５の下方に移動する。次いで、この昇降板５を下降操作すると、再び上記混合物は上記多数の貫通穴５ｃ等を通過して昇降板５の上方に移動するとともに、容器本体２内においては、徐々に泡Ｆが作られる。なお、上記削ぎ取り部５ｄを利用して固形石鹸を利用した場合においては、上記各貫通穴５ｃ内に侵入していた固形石鹸は、上記昇降操作棒４の下降操作により、湯水の圧力によって昇降板５の上方に移動し、上昇操作により下方に移動することとなり、液体石鹸を使用した場合と同じように、細かい粒子径の泡Ｆが作り出される。そして、こうした過程で作られた泡Ｆは、下方に位置する昇降板５を上昇操作することにより、上記混合物Ｄの上部に位置した状態から、該昇降板５と上記蓋体３との間に挟まれ圧縮されることにより、上記貫通穴５ｃ等を通過して昇降板５の下方に移動し、次いで、昇降板５を下降操作することにより、該昇降板５の下方に位置する泡Ｆが再び昇降板５の上方に移動する。すなわち、この実施の形態に係る洗浄剤用泡だて器１を使用することにより、容器本体２内で作られた泡Ｆは、上記昇降板５と上記蓋体３との間で挟まれ圧縮されることから繰り返して上記貫通穴５ｃを通過することから、より細かい粒子径の泡Ｆを作ることが可能となる。
【００２９】
そして、このような操作により、上記容器本体２内に所定の泡Ｆを作り出す操作が終了すると、上記蓋体３を反時計回り方向に片手で回転させることにより、上記容器本体２から取り外す。こうした蓋体３の取外し操作により、上記昇降操作棒４及び昇降板５も容器本体２から取り外すことができる。言うまでも無く、この容器本体２は、上記吸着部材６を介して、図８に示す載置面Ｐに吸着固定されていることから、蓋体２の回転操作により容器本体２も供回りしてしまうことがない。この結果、容器本体２内では、その比重から、多くの泡Ｆが上方に位置し、泡Ｆとなっていない洗浄剤と湯水との混合物Ｄは下方に位置していることから、使用者は、片手を容器本体２内に挿入し適量の泡Ｆをすくい上げることにより、使用者自身又は子供の洗顔等に用いることができる。特に、この実施の形態に係る洗浄剤用泡だて器１によれば、個々の泡Ｆの粒子径は極めて細かいことから、一旦所定量の泡が容器本体２内から取り出され、一部容器本体２内に残されている場合であっても、洗顔中にこの残った泡Ｆが弾けて再び液体に戻ってしまうことが抑制されることから、一度作りだした泡を複数回に亘って使用することが可能となる。
【００３０】
なお、上記実施の形態では、本発明を構成する吸着部材の上下両側に上記第１及び第２の吸着部（群）６ｂ，６ｃを形成したものを図示して説明したが、本発明では、上記容器本体と吸着部材との配置状態や配置構造は、上記実施の形態に限定されることなく、以下にそれぞれ説明するものであってもよい。例えば、図９は、第２の実施の形態として、容器本体２と吸着部材６１とを示すものであって、上記容器本体２を構成する底板部２ａの底面に図示しない接着剤を介して吸着部材６１が接着固定されているものである。この吸着部材６１は、軟質樹脂により一体成形されてなるものであり、上記容器本体２の底板部２ａの外径寸法よりもやや短い外径寸法に形成された固定部６１ａと、この固定部６１ａの下面に形成された吸着部６１ｂとを備えている。こうした構成を備えた洗浄剤用泡だて器による場合であっても、上記吸着部６１ｂを介して、先に説明した載置面に取り外し可能に吸着固定することができ、使用者は片手で泡を作りだすことができる。
【００３１】
また、この発明を構成する上記吸着部材は、上記容器本体２の底板部２ａの下面に着脱自在に固定されているものであってもよい。図１０は、第３の実施の形態として、容器本体２と吸着部材６２とを示すものであって、該容器本体２を構成する底板部２ａの下面に筒状部２ｇが形成され、この筒状部２ｇの内周には一方の係止部２ｈが形成されている。一方、吸着部材６２は、弾性変形可能な軟質樹脂により一体成形されてなるものであり、上面には、上記筒状部２ｇに嵌合する円筒状の嵌合部６２ａが形成され、この嵌合部６２ａの外周には上記一方の係合部２ｈに係合する他方の係合部６２ｂが形成されている。また、上記嵌合部６２ａの下面には、上記載置面に吸着する吸着部６２ｃが形成されている。したがって、こうした構成を備えた洗浄剤用泡だて器による場合であっても、上記吸着部６２ｃを介して、先に説明した載置面に取り外し可能に吸着固定することができ、使用者は片手で泡を作りだすことができるとともに、吸着部材６２は容器本体２に対して着脱自在とされていることから、吸着部材６２を載置面に吸着固定させて後に、容器本体２を該吸着部材６２に固定することも可能となる。
【００３２】
また、この発明では、上記吸着部材が容器本体と一体成形されてなるものであってもよい。例えば、図１１は、第４の実施の形態として、容器本体２を示すものであり、この容器本体２の底板部２ａの下面には、吸着部材６３が該容器本体２に一体成形されてなるものである。こうした構成とした場合であっても、容器本体２を載置面に吸着固定することが可能となる。
【００３３】
さらに、上記各実施の形態では、吸着部材が容器本体の底板部の底面に配置され又は固定されたものであるが、本発明に係る吸着部材は、容器本体の側板部に配置されてなるものであってもよい。図１２は、第５の実施の形態に係るものであって、吸着部材６４は、弾性変形可能な軟質樹脂により一体成形されてなるものであり、上記容器本体２の側板部２ｂの外周面に装着され伸縮自在となされた無端ベルト６４ａと、この無端ベルト６４ａの外周面に基端が一体化されてなる吸着部６４ｂとを備えてなるものである。こうした構成に係る吸着部材６４を備えた洗浄剤用泡だて器によれば、上記容器本体２の側板部２ｂに対して着脱自在に装着することができるばかりではなく、上記無端ベルト６４ａを介して該吸着部材６４を側板部２ｂに装着した後に、容器本体２を先に説明した載置面Ｐに載置するとともに、該載置面Ｐの近傍に存在する壁面Ｗに上記吸着部６４ｂを吸着固定することにより、使用者は片手でも先に説明した要領で細かい泡を作りだすことが可能となる。
【００３４】
また、図１３は、上記無端ベルト６４ａに代えて、容器本体２の側板部２ｂの外周面に第２の吸着部６５ｂを形成したものである。すなわち、この吸着部材６５は、弾性変形可能な軟質樹脂により一体成形されてなるものであり、上記壁面Ｗに吸着固定される第１の吸着部６５ａと、この第１の吸着部６５ａの背面側に容器本体２の側板部２ｂの外周面に吸着される第２の吸着部６５ｂを備えてなるものである。このように構成された吸着部材６５を備えた洗浄剤用泡だて器による場合であっても同じ作用効果を実現することができる。
【符号の説明】
【００３５】
１  洗浄剤用泡だて器
２  容器本体
２ａ  底板部
２ｂ  側板部
２ｃ  一方のネジ
２ｇ  筒状部
２ｈ  一方の係止部
３  蓋体
３ａ  円盤部
３ｂ  円筒部
３ｃ  他方のネジ
３ｄ  挿通穴
４  昇降操作棒
４ａ  棒状部
４ｂ  リング部
４ｃ  第１の掛止部
４ｄ  第２の掛止部
５  昇降板
５ｃ  貫通穴
５ｄ  削ぎ取り部
６  吸着部材
６ａ  板状部
６ｂ  第１の吸着部（群）
６ｃ  第２の吸着部（群）
６１  吸着部材
６１ａ  固定部
６１ｂ  吸着部
６２  吸着部材
６２ａ  嵌合部
６２ｂ  他方の係合部
６３  吸着部材
６４  吸着部材
６４ａ  無端ベルト
６４ｂ  吸着部
６５  吸着部材
６５ａ  第１の吸着部
６５ｂ  第２の吸着部
Ｐ  載置面
Ｗ  壁面
【図１】
2017159006.tif 000003
【図２】
2017159006.tif 000004
【図３】
2017159006.tif 000005
【図４】
2017159006.tif 000006
【図５】
2017159006.tif 000007
【図６】
2017159006.tif 000008
【図７】
2017159006.tif 000009
【図８】
2017159006.tif 000010
【図９】
2017159006.tif 000011
【図１０】
2017159006.tif 000012
【図１１】
2017159006.tif 000013
【図１２】
2017159006.tif 000014
【図１３】
2017159006.tif 000015